(57)【要約】      （修正有）【課題】転倒または脱落した電気機器を正しい姿勢に戻しても転倒時または脱落時に行った電源遮断動作を継続して保持できる電気機器の安全装置および電源制御方法を得ること。【解決手段】転倒または脱落したか否かを検出できるセンサ５を備えた電気機器２ａと入力交流電源３との間に介在し前記電気機器２ａへの通電と該通電の遮断とを行うことができる電源遮断部６と、前記センサ５が前記転倒または脱落を検出していないとして前記電源遮断部６に通電動作を行わせている際に、前記センサ５が前記転倒または脱落を検出した場合に前記電源遮断部６に遮断動作を行わせ、同時に該遮断動作指示を記憶手段に記憶させて保持し、その後、前記センサ５が前記転倒または脱落を検出しなくなっても前記遮断動作指示を前記電源遮断部６に出力する制御部８ａとを備えた。【選択図】図１
2011002057.tif 000002
【特許請求の範囲】
【請求項１】
転倒または脱落したか否かを検出できるセンサを備えた電気機器と入力交流電源との間に介在し前記電気機器への通電と該通電の遮断とを行うことができる電源遮断部と、
前記センサが前記転倒または脱落を検出していないとして前記電源遮断部に通電動作を行わせている際に、前記センサが前記転倒または脱落を検出した場合に前記電源遮断部に遮断動作を行わせ、同時に該遮断動作指示を記憶手段に記憶させて保持し、その後、前記センサが前記転倒または脱落を検出しなくなっても前記遮断動作指示を前記電源遮断部に継続して出力する制御部と
を備えたことを特徴とする電気機器の安全装置。
【請求項２】
前記電気機器は、前記センサの検出内容を無線送信できる無線送信部を備え、前記安全装置は、無線受信した前記電気機器からの無線信号を復調して前記制御部に与える無線受信部を備えていることを特徴とする請求項１に記載の電気機器の安全装置。
【請求項３】
前記制御部は、前記センサが前記転倒または脱落を検出しなくなった場合に、リセット入力があると、前記保持させた遮断動作指示を解除し前記電源遮断部に前記通電動作を再開させることを特徴とする請求項１または２に記載の電気機器の安全装置。
【請求項４】
前記制御部は、前記遮断動作を行わせたことを音と光の少なくとも一方によって外部に報知する構成を備えていることを特徴とする請求項１〜３のいずれか一つに記載の電気機器の安全装置。
【請求項５】
転倒または脱落したか否かを検出できるセンサを備えた電気機器の電源制御方法であって、
電源制御処理の開始時に前記センサの検出出力が前記転倒または脱落の検出を示していないことを確認して前記電気機器への通電許可を出力し、記憶部に通電中を記憶させ前記通電許可を有効にする工程と、
前記センサの検出出力の変化を監視し、前記センサの検出出力が前記転倒または脱落の検出を示した場合、前記電気機器への通電許可を取り消して遮断指令に出力し、前記記憶部に前記通電中に代えて遮断中を記憶させ前記遮断指令を有効にする工程と、
その後、前記センサの検出出力が前記転倒または脱落の検出を示さなくなっても、前記記憶部に記憶させた遮断中に基づき前記遮断指令を継続して有効にする工程と
を含むことを特徴とする電気機器の電源制御方法。
【請求項６】
前記センサの検出出力が前記転倒または脱落の検出を示さなくなった場合に、リセット入力があると、前記電気機器への遮断指令を取り消して通電許可を出力し、前記記憶部に前記遮断中に代えて通電中を記憶させ前記通電許可を有効にする工程
をさらに含むことを特徴とする請求項５に記載の電気機器の電源制御方法。
【発明の詳細な説明】
【技術分野】
【０００１】
本発明は、電気機器の安全装置および電源制御方法に関するものである。
【背景技術】
【０００２】
電気機器が通電されている状態で転倒または脱落した場合には、漏電事故や感電事故、電気機器の破壊などが生じる可能性がある。例えば、水周りで使用される据付型の電気機器には、食器洗濯乾燥機やハンドドライヤー、浴槽湯浄化装置などがある。これらは、設置場所から脱落すると、水没してしまう可能性があるので、漏電事故や感電事故、電気機器の破壊などが生じる可能性が高くなる。
【０００３】
この課題に対して、例えば特許文献１では、電気機器である浴槽湯浄化装置の脱落を幾つかのスイッチを用いて検出し、漏電ブレーカを介して電気機器の電源を遮断する手法が提案されている。
【先行技術文献】
【特許文献】
【０００４】
【特許文献１】特開平８−９２３号公報
【発明の概要】
【発明が解決しようとする課題】
【０００５】
しかし、上記従来の技術では、設置場所から脱落して水没してしまった電気機器を元の位置に再設置した場合に、スイッチが元の状態に戻り、再び通電してしまうので、依然として、漏電事故や感電事故、機器の破壊などが発生する可能性があり、課題は解決されていない。
【０００６】
本発明は、上記に鑑みてなされたものであり、転倒または脱落した電気機器を正しい姿勢に戻しても転倒時または脱落時に行った電源遮断動作を継続して保持できる電気機器の安全装置および電源制御方法を得ることを目的とする。
【課題を解決するための手段】
【０００７】
上述した目的を達成するために、本発明にかかる電気機器の安全装置は、転倒または脱落したか否かを検出できるセンサを備えた電気機器と入力交流電源との間に介在し前記電気機器への通電と該通電の遮断とを行うことができる電源遮断部と、前記センサが前記転倒または脱落を検出していないとして前記電源遮断部に通電動作を行わせている際に、前記センサが前記転倒または脱落を検出した場合に前記電源遮断部に遮断動作を行わせ、同時に該遮断動作指示を記憶手段に記憶させて保持し、その後、前記センサが前記転倒または脱落を検出しなくなっても前記遮断動作指示を前記電源遮断部に継続して出力する制御部とを備えたことを特徴とする。
【発明の効果】
【０００８】
本発明によれば、転倒または脱落した電気機器を正しい姿勢に戻して再設置しても、通電は復旧しないようにすることができる。したがって、電気機器の転倒または脱落による漏電事故や感電事故、電気機器の破壊などを確実に防止できるという効果を奏する。
【図面の簡単な説明】
【０００９】
【図１】図１は、本発明の実施の形態１による電気機器の安全装置の構成を示すブロック図である。
【図２】図２は、図１に示す安全装置の具体的な構成例を示す回路図である。
【図３】図３は、本発明の実施の形態２として、図１に示す安全装置が備える制御部の他の構成例を示す回路図である。
【図４】図４は、図３に示す制御部の動作を説明するフローチャートである。
【図５】図５は、本発明の実施の形態３による電気機器の安全装置の構成を示すブロック図である。
【図６】図６は、本発明の実施の形態４として、図１に示す安全装置の要部構成を示す回路図である。
【発明を実施するための形態】
【００１０】
以下に、本発明にかかる電気機器の安全装置および電源制御方法の実施の形態を図面に基づいて詳細に説明する。なお、この実施の形態によりこの発明が限定されるものではない。
【００１１】
実施の形態１．
図１は、本発明の実施の形態１による電気機器の安全装置の構成を示すブロック図である。図１において、本実施の形態１による安全装置１ａは、電気機器２ａと入力交流電源３との間に配置される。電気機器２ａは、本実施の形態に関わる要素として、入力交流電源３に基づき機器内各部に動作電源を供給する機器電源部４の他に、当該電気機器２ａが転倒または脱落したのを検知するセンサ５が設けられている。なお、電気機器２ａは、例えば、水周りで使用される据付型の電気機器である。
【００１２】
安全装置１ａは、電源遮断部６と、電源部７と、制御部８ａとを備えている。電源遮断部６は、入力交流電源３と電気機器２ａ内の機器電源部４との間に介在し、制御部８ａからの指令に従って機器電源部４への通電とその遮断とを行うように構成されている。電源部７は、入力交流電源３から安全装置１ａ内で使用する動作電源を生成する。制御部８ａは、電気機器２ａ内のセンサ５の出力状態に基づき電源遮断部６に制御指令（通電指令と遮断指令）を出力し、遮断指令を出力したときは、所定の要件を持たすまでは該遮断指令を解除せず保持し続けるように構成されている。
【００１３】
安全装置１ａは、例えば、図２に示す構成になっている。なお、図２は、図１に示す安全装置の具体的な構成例を示す回路図である。図２において、電源遮断部６は、リレー１０を用いて実現される。リレー１０の開閉接点１０ａは、一端が入力交流電源３に接続され、他端が機器電源部４に接続されている。リレー１０の駆動コイル１０ｂは、一端が電源部４に接続され、他端が制御部８ａに接続されている。
【００１４】
電源部７は、一次巻線が入力交流電源３に接続されるトランス１１と、トランス１１の二次巻線が接続される整流回路１２と、整流回路１２の整流電圧から安全装置１ａ内で使用する動作電圧を生成する電源ＩＣ１３と、電源ＩＣ１３の出力電圧を平滑化する平滑用コンデンサ１４とを備えている。平滑用コンデンサ１４の端子電圧が動作電源１５として安全装置１ａ内に供給される。図示例では、動作電源１５は、リレー１０の駆動コイル１０ｂの一端に印加され、また、制御部８ａ内に示す動作電源２０，３１，３２，３３となっている。
【００１５】
なお、図２では示してないが、動作電源１５は、電気機器２ａ内のセンサ５にも供給されている。ここで、電気機器２ａ内のセンサ５は、図２に示すように、検知用スイッチ２８を備えている。検知用スイッチ２８は、電気機器２ａが設置場所に正しく位置しているときは閉路し、転倒または脱落したときに開路する開閉動作を行うようになっている。
【００１６】
制御部８ａは、記憶手段であるラッチリレー１６と、リセットスイッチ２７と、センサ５の出力状態およびリセットスイッチ２７の操作状態に応じてラッチリレー１６を駆動する回路（トランジスタ２１，２２，２３，２５，２６）とを備えている。ラッチリレー１６は、切替スイッチ１７とセットコイル（Ｓ）１８とリセットコイル（Ｒ）１９とを備えている。
【００１７】
センサ５の検知用スイッチ２８の一端は、プルアップ抵抗器を介して動作電源３１に接続され、またＮＰＮ型のトランジスタ２３，２６のベース端子に接続されている。検知用スイッチ２８の他端は、トランジスタ２３，２６の各エミッタ端子と同様にグランドに接続されている。
【００１８】
リセットスイッチ２７は、ユーザ等が外部から手指で押圧操作した時間だけ閉路するマクロスイッチ等である。リセットスイッチ２７の一端は、プルアップ抵抗器を介して動作電源３２に接続されるとともに、ＮＰＮ型のトランジスタ２５のベース端子に接続され、他端は、グランドに接続されている。トランジスタ２５のコレクタ端子は、プルアップ抵抗器を介して動作電源３３に接続されるとともに、トランジスタ２６のコレクタ端子およびＮＰＮ型のトランジスタ２４のベース端子に接続されている。トランジスタ２４，２５のエミッタ端子は、それぞれグランドに接続されている。
【００１９】
トランジスタ２３のコレクタ端子はＰＮＰ型のトランジスタ２１のベース端子に接続され、トランジスタ２４のコレクタ端子はＰＮＰ型のトランジスタ２２のベース端子に接続されている。トランジスタ２１，２２のエミッタ端子は共通に動作電源２０に接続されている。トランジスタ２１のコレクタ端子はラッチリレー１６のセットコイル（Ｓ）１８の一端に接続され、セットコイル（Ｓ）１８の他端はグランドに接続されている。また、トランジスタ２２のコレクタ端子はラッチリレー１６のリセットコイル（Ｒ）１９の一端に接続され、リセットコイル（Ｒ）１９の他端はグランドに接続されている。
【００２０】
ラッチリレー１６の切替スイッチ１７は、２つの切替接点１７ａ，１７ｂと、基端１７ｃと、可動接片１７ｄとを備えている。可動接片１７ｄは、基端１７ｃを始点にして回動し２つの切替接点１７ａ，１７ｂの一方と基端１７ｃとの間を切り替えて接続するように付勢される。図２に示す例では、基端１７ｃはグランドに接続され、他方の切替接点１７ｂは駆動コイル１０の他端に接続されている。一方の切替接点１７ａは、どこにも接続されておらず不使用である。
【００２１】
この切替スイッチ１７では、セットコイル（Ｓ）１８にもリセットコイル（Ｒ）１９にも電流が流れていない初期状態では可動接片１７ｄが基端１７ｃと切替接点１７ｂとを接続している。そして、セットコイル（Ｓ）１８に電流が流れると、可動接片１７ｄが基端１７ｃと切替接点１７ａとの接続に切り替わり、その後リセットコイル（Ｒ）１９に電流が流れると、可動接片１７ｄが基端１７ｃと切替接点１７ｂとの接続に切り替わる。これらの場合に、セットコイル（Ｓ）１８にもリセットコイル（Ｒ）１９にも電流が流れていない状態では、可動接片１７ｄは、直前の接続状態を保持するように付勢される。なお、以下では、切替接点１７ｂを常閉接点１７ｂと称し、切替接点１７ａを常開接点１７ａと称する。
【００２２】
次に、図２を参照して、動作について説明する。まず、電気機器２ａが設置場所に正しく設置されている状態では、センサ５の検知用スイッチ２８は閉路している。トランジスタ２３，２６は、ベース端子が共にグランド電位になっていて共にオフ動作状態にある。したがって、トランジスタ２１は、オフ動作状態にあり、セットコイル（Ｓ）１８に電流は流れてない。
【００２３】
また、リセットスイッチ２７は、通常は開路しているので、トランジスタ２５はベース端子に動作電源３２が供給されてオン動作状態にあり、これによって、トランジスタ２４はベース端子がグランド電位になりオフ動作状態にある。したがって、トランジスタ２２は、オフ動作状態にあり、リセットコイル（Ｒ）１９に電流は流れてない。
【００２４】
つまり、ラッチリレー１６では、セットコイル（Ｓ）１８もリセットコイル（Ｒ）１９も電流が流れないので、切替スイッチ１７では、常閉接点１７ｂが基端１７ｃに接続されている。電源遮断部６のリレー１０では、駆動コイル１０ｂの他端が常閉接点１７ｂ〜基端１７ｃを通してグランドに接続され、駆動コイル１０ｂに所定の電流が流れている状態である。これによって、開閉接点１０ａは、閉路して機器電源部４と入力交流電源３とを接続している。
【００２５】
さて、電気機器２ａが設置場所から転倒または脱落すると、センサ５の検知用スイッチ２８は開路する。そうすると、トランジスタ２３，２６は、ベース端子が共に動作電源３１の電位になるので、共にオン動作状態になる。これによって、トランジスタ２１は、ベース端子がグランド電位に引き下げられてオン動作状態になる。このとき、トランジスタ２４は、トランジスタ２５がオフ動作状態であるから依然としてオフ動作状態であり、トランジスタ２２は依然としてオフ動作状態にある。
【００２６】
トランジスタ２１がオン動作すると、ラッチリレー１６では、セットコイル（Ｓ）１８に電流が流れるので、切替スイッチ１７では、基端１７ｃとの接続が常閉接点１７ｂから常開接点１７ａに切り替わる。これによって、電源遮断部６のリレー１０では、駆動コイル１０ｂに電流が流れなくなり、開閉接点１０ａが開路し、機器電源部４と入力交流電源３との接続が遮断される。
【００２７】
このように電気機器２ａが転倒または脱落して電源遮断状態となっている場合に、リセットスイッチ２７を押圧操作しても、電源遮断状態は解除されない。すなわち、リセットスイッチ２７を押圧操作すると、トランジスタ２５はオフ動作するが、検知用スイッチ２８は開路していて、トランジスタ２３，２６がオン動作状態を維持している。そのため、トランジスタ２１がオン動作を維持しトランジスタ２４，２２はオン駆動されず、機器電源部４と入力交流電源３の接続が復旧することはない。
【００２８】
また、転倒または脱落により通電が遮断された電気機器２ａを正常な姿勢に戻しただけでは、電源遮断状態は解除されない。すなわち、転倒または脱落した電気機器２ａを正常な姿勢に戻した場合、検知用スイッチ２８は閉路し、トランジスタ２３，２６がオフ動作し、トランジスタ２１がオフ動作する。しかし、トランジスタ２５がオン動作状態にあるので、トランジスタ２４は、オフ動作状態を維持している。そのため、ラッチリレー１６では、セットコイル（Ｓ）１８もリセットコイル（Ｒ）１９も電流が流れない状態になり、切替スイッチ１７では、直前の接続状態、つまり、常開接点１７ａと基端１７ｃとの接続状態を維持するので、リレー１０では開閉接点１０ａを開路状態に保持し続ける。機器電源部４と入力交流電源３の接続が復旧することはない。
【００２９】
本実施の形態では、転倒または脱落により通電を遮断した電気機器２ａへの通電を再開するには、電気機器２ａを正常な姿勢に戻し、かつリセットスイッチ２７を押圧操作する、という手順が必要である。
【００３０】
すなわち、前記したように、転倒または脱落した電気機器２ａを正常な姿勢に戻すと、センサ５の検知用スイッチ２８は閉路状態になり、トランジスタ２３，２６がオフ動作し、トランジスタ２１がオフ動作する。これによって、ラッチリレー１６ではセットコイル（Ｓ）１８に電流が流れなくなり、切替スイッチ１７は、常開接点１７ａと基端１７ｃとの接続状態を維持し、リレー１０では開閉接点１０ａを開路状態に保持し続ける。
【００３１】
この状態で、リセットスイッチ２７を押圧操作すると、その押圧操作した時間だけトランジスタ２５はベース端子がグランド電位に引き込まれてオフ動作する。そうすると、トランジスタ２４がベース端子に動作電源３３の電圧が印加されてオン動作するので、トランジスタ２２がオン動作する。これによって、ラッチリレー１６ではリセットコイル（Ｒ）１９に電流が流れ、切替スイッチ１７では、常開接点１７ａと基端１７ｃとの接続が、常閉接点１７ｂと基端１７ｃとの接続に切り替わる。リレー１０では、駆動コイル１０ｂに電流が流れて開閉接点１０ａが閉路状態に切り替わり、機器電源部４と入力交流電源３の接続が復旧する。トランジスタ２４，２２は、リセットスイッチ２７を押圧操作している時間だけオン動作するので、トランジスタ２４，２２がオフ動作した後のラッチリレー１６ではリセットコイル（Ｒ）１９にもセットコイル（Ｓ）にも電流が流れない状態になるが、切替スイッチ１７では、直前の接続状態を維持するので、電気機器２ａへの通電が継続される。
【００３２】
以上のように、実施の形態１によれば、電気機器が転倒または脱落したときは入力交流電源から電気機器への通電を遮断し、その電源遮断状態を、電気機器を正しい姿勢に戻した後もリセット操作があるまで保持するようにしたので、単に電気機器を正しい姿勢に戻して再設置が行われても、再通電が行われることを防ぐことができ、漏電・感電事故や電気機器の破壊などを確実に防止できる。
【００３３】
実施の形態２．
図３は、本発明の実施の形態２として、図１に示す安全装置が備える制御部の他の構成例を示す回路図である。本実施の形態２による安全装置は、図１（実施の形態１）における制御部７ａに代えて制御部７ｂが設けられている。制御部７ｂは、図３に示すように、いわゆるマイコン３４と、ＮＰＮ型のトランジスタ３５と、リセットスイッチ３６とで構成されている。リセットスイッチ３６は、リセットスイッチ２７と同種のマイクロスイッチなどである。
【００３４】
マイコン３４は、センサ入力端子３７と、リセット入力端子３８と、制御端子３９とを備え、電源部７が生成する電源１５である電源４０を動作電源とする。センサ入力端子３７とグランドとの間にセンサ５の検知用スイッチ２８が接続されている。リセット入力端子３８とグランドとの間にリセットスイッチ３６が接続されている。制御端子３９は、トランジスタ３５のベース端子に接続されている。トランジスタ３５のコレクタ端子はリレー１０の駆動コイル１０ｂの他端に接続され、トランジスタ３５のエミッタ端子はグランドに接続されている。なお、センサ入力端子３７とリセット入力端子３８では、内部でプルアップ処理がなされている。
【００３５】
次に、図４は、図３に示す制御部の動作を説明するフローチャートである。なお、制御部７ｂの主たる要素であるマイコン３４は、図４に示す手順で電気機器２ａの通電・遮断の制御を行うが、その際に制御データを保存する記憶手段として、図３では、内部メモリ（ＥＥＰＲＯＭやフラッシュメモリなど）４１を用いている。勿論、外部メモリを用いるようにしてもよい。以下、図４を参照して、動作について説明する。
【００３６】
マイコン３４は、電源が投入されて処理動作を開始したときに、センサ入力端子３７に入力されるセンサ出力の電圧レベルが低レベルであれば、電気機器２ａは正しく設置場所に設置されていると判断し、制御端子３９を高レベルにし、トランジスタ３５をオン動作させる。これによって、電気機器２ａへの通電が開始される。このときの制御内容を“通電中”として内部メモリ４１に書き込む。図４では、この状態からの処理手順が示されている。
【００３７】
図４において、マイコン３４は、内部メモリ４１の記憶内容が“通電中”である場合に（ＳＴ１：Ｙｅｓ）、センサ入力端子３７の電圧レベルを監視する（ＳＴ２）。監視の結果、センサ入力端子３７の電圧レベルが変化せず低レベルであれば（ＳＴ２：Ｙｅｓ）、制御端子３９を継続して高レベルにしトランジスタ３５をオン動作状態に維持する（ＳＴ３）。センサ入力端子３７の電圧レベルが低レベルである間（ＳＴ４：Ｎｏ）、制御端子３９を継続して高レベルにしトランジスタ３５をオン動作状態に維持する（ＳＴ３）ことを続ける。
【００３８】
ＳＴ３〜ＳＴ４〜ＳＴ３の繰り返し過程におけるＳＴ４において、センサ入力端子３７の電圧レベルが高レベルに変化したことが検知されると（ＳＴ４：Ｙｅｓ）、ＳＴ５に進む。また、先のＳＴ２での監視結果、センサ入力端子３７の電圧レベルが高レベルに変化していれば（ＳＴ２：Ｎｏ）、ＳＴ５に進む。
【００３９】
ＳＴ５では、マイコン３４は、電気機器２ａが転倒または脱落したと判断し、制御端子３９を低レベルに立ち下げてトランジスタ３５をオフ動作状態にする。これによって、電気機器２ａへの通電が遮断される。マイコン３４は、内部メモリ４１の記憶内容を“通電中”から“遮断中”に設定変更し（ＳＴ６）、先のＳＴ１に戻る。
【００４０】
マイコン３４は、今回のＳＴ１では、内部メモリ４１の記憶内容は“遮断中”であるので（ＳＴ１：Ｎｏ）、制御端子３９を継続して低レベルに維持しトランジスタ３５をオフ動作状態に保持し（ＳＴ７）、センサ入力端子３７の電圧レベルが低レベルに変化するのを監視する（ＳＴ８）。
【００４１】
マイコン３４は、このＳＴ８での監視結果、センサ入力端子３７の電圧レベルが高レベルである場合（ＳＴ８：Ｎｏ）、電気機器２ａは未だ転倒状態または脱落状態であると判断し、制御端子３９を低レベルに維持してトランジスタ３５をオフ動作状態に保持する（ＳＴ７）ことを続ける。このＳＴ７〜ＳＴ８〜ＳＴ７の繰り返し過程では、リセットスイッチ３６が押圧操作されて、リセット入力端子３８の電圧レベルが低レベルに変化しても、マイコン３４は、センサ入力端子３７の電圧レベルが高レベルであるので、該リセット入力を無視する。
【００４２】
ＳＴ７〜ＳＴ８〜ＳＴ７の繰り返し過程におけるＳＴ８において、センサ入力端子３７の電圧レベルが低レベルになると（ＳＴ８：Ｙｅｓ）、マイコン３４は、電気機器２ａが設置場所に戻されていて、通電の再開が可能な状態になっていると判断し、リセット入力端子３８の電圧レベルが低レベルに変化するのを監視する（ＳＴ９）。
【００４３】
このＳＴ９において、リセット入力端子３８の電圧レベルが低レベルに変化したのを検知すると（ＳＴ９：Ｙｅｓ）、マイコン３４は、リセットスイッチ２７が正しく押圧操作されたと判断し、制御端子３９を高レベルに立ち上げてトランジスタ３５をオン動作状態にする（ＳＴ１０）。これによって、電気機器２ａへの通電が再開される。マイコン３４は、内部メモリ４１の記憶内容を“遮断中”から“通電中”に設定変更し（ＳＴ１１）、先のＳＴ１に戻る。マイコン３４は、以上の処理動作を繰り返す。
【００４４】
以上のように、本実施の形態２によれば、実施の形態１と同様に、電気機器が転倒または脱落したときは入力交流電源から電気機器への通電を遮断し、その電源遮断状態を、電気機器の再設置後もリセット操作があるまで保持できるので、単に電気機器の再設置が行われても、再通電が行われることを防ぐことができ、漏電・感電事故や機器の破壊などを確実に防止できる。
【００４５】
加えて、本実施の形態２では、電源遮断状態を不揮発性メモリに保持させることができるので、転倒または脱落により通電を遮断された電気機器を正しい姿勢に戻して再設置し、入力交流電源の再投入を行っても、電源遮断状態を継続して維持することができ、再通電が行われることを防ぐことができる。
【００４６】
実施の形態３．
図５は、本発明の実施の形態３による電気機器の安全装置の構成を示すブロック図である。なお、図５では、図１（実施の形態１）や図３（実施の形態２）に示した構成要素と同一ないしは同等である構成要素には同一の符号が付されている。ここでは、本実施の形態３に関わる部分を中心に説明する。
【００４７】
図５に示すように、本実施の形態３による電気機器の安全装置では、符号を変えた電気機器２ｂに、送信用アンテナ４５を備えた送信用無線モジュール４４が設けられ、符号を変えた安全装置１ｂに、受信用アンテナ４７を備えた受信用無線モジュール４６が設けられている。
【００４８】
電気機器２ｂでは、センサ５の検出内容が送信用無線モジュール４４にて無線信号に変換され、送信用アンテナから無線送信される。安全装置１ｂでは、受信用アンテナ４７にて受信された無線信号が受信用無線モジュール４６にて復調される。復調されたセンサ５の検出内容は、図１に示す制御部８ａに入力され、或いは、図３に示す制御部８ｂに入力され、電気機器２ｂの転倒または脱落の有無が検知される。
【００４９】
以上のように、本実施の形態３では、制御部とセンサ間の伝送路を無線化するので、安全装置と電気機器とを接続する配線数を減らせる。これによって、安全装置と電気機器の設置が簡易になり、また、安全装置と電気機器の間の配線の引き回しが簡素になる。
【００５０】
また、実施の形態１，２では、安全装置の電源部からセンサに通電しており、センサからの漏電を防ぐために安全装置の電源部は、絶縁用に入力交流電源と整流回路との間にトランスを介在させているが、本実施の形態３では、安全装置の電源部からセンサへの通電が不要となるため、安全装置の電源部からトランスを削除できる。
【００５１】
実施の形態４．
図６は、本発明の実施の形態４として、図１に示す安全装置の要部構成を示す回路図である。図６では、図２（実施の形態１）に示した制御部８ａが備えるラッチリレー１６の切替スイッチ１７では、常開接点１７ａが不使用である点に着目し、常開接点１７ａと動作電源５１との間に、スピーカ４９と発光ダイオード５０とを並列に接続した例が示されている。
【００５２】
図２（実施の形態１）にて説明したように、ラッチリレー１６の切替スイッチ１７は、セットコイル（Ｓ）１８に電流が流れる電源遮断時には、可動接片１７ｄは、常開接点１７ａと基端１７ｃと接続している。
【００５３】
したがって、常開接点１７ａと電源５１との間に並列に接続したスピーカ４９と発光ダイオード５０とには、電源遮断時にのみ電流が流れるので、電源の遮断が行われたことを音や光で周囲に知らせることが可能となる。なお、スピーカ４９と発光ダイオード５０は、いずれか一方のみを設ける構成でもよい。
【００５４】
以上のように、本実施の形態４では、電気機器が転倒または脱落した場合、周囲に報知して注意を喚起することができる。
【産業上の利用可能性】
【００５５】
以上のように、本発明にかかる電気機器の安全装置および電源制御方法は、電気機器の転倒または脱落による漏電・感電事故や機器の破壊などを防止できる安全装置および電源制御方法として有用である。特に、水回りで使用する据付型の電気機器の安全装置および電源制御方法として好適である。
【符号の説明】
【００５６】
１ａ，１ｂ  安全装置
２ａ，２ｂ  電気機器
３  入力交流電源
４  機器電源部
５  センサ
６  電源遮断部
７  電源部
８ａ，８ｂ  制御部
１０  リレー
１０ａ  接点
１０ｂ  駆動コイル
１１  トランス
１２  整流回路
１３  電源ＩＣ
１４  平滑用コンデンサ
１６  ラッチリレー
１７  切替スイッチ
１７ａ  常開接点
１７ｂ  常閉接点
１８  セットコイル（Ｓ）
１９  リセットコイル（Ｒ）
２１〜２６，３５  トラジスタ
２７，３６  リセットスイッチ
２８  センサが備える検知用スイッチ
３４  マイコン
３７  センサ入力端子
３８  リセット入力端子
３９  制御端子
４１  内部メモリ
４４  送信用無線モジュール
４５  送信用アンテナ
４６  受信用無線モジュール
４７  受信用アンテナ
４９  スピーカ
５０  発光ダイオード
【図１】
2011002057.tif 000003
【図２】
2011002057.tif 000004
【図３】
2011002057.tif 000005
【図４】
2011002057.tif 000006
【図５】
2011002057.tif 000007
【図６】
2011002057.tif 000008